(57)【要約】      （修正有）【課題】カラオケ映像に歌っている人の映像をピクチャインピクチャする表示、両映像の切り替え表示、両画面分割表示を可能とするコンパクトなカラオケモニターを提供する。【解決手段】カラオケ用モニターを次のように構成する。第１に、前面に、マイクロフォン付きカメラ３を取り付ける。第２に、裏面に、マイクロフォン付きカメラ３からの映像と音声を取込み、ファイルへの変換、出力装置への出力、記録装置への書込み、及び、通信等パソコンとしての機能を有する映像及び音声取込み装置と、ピクチャインピクチャ表示等の行えるマルチビュアー装置と、を取り付ける。第３に、マルチビュアー装置へは、カラオケ映像Ｋ及び歌っている人の映像Ｓが取り込まれる。第４に、マルチビュアー装置から、モニター２に歌っている人の映像Ｓとカラオケ映像Ｋとのピクチャインピクチャ表示等を可能とする。【選択図】図１
0003220458.tif 000002
【実用新案登録請求の範囲】
【請求項１】
カラオケ映像と歌っている人の映像とが切り替え表示や画面分割表示やピクチャインピクチャ表示可能とされるカラオケ用モニターであって、
該モニターの前面には、歌っている人の映像を撮影して取り込むカメラと、歌っている人の音声とカラオケ演奏の音声とを集音して取り込むマイクロフォンとを取り付け、
前記モニターの裏面には、
切り替え表示及び画面分割表示及びピクチャインピクチャ表示切り替え可能なマルチビュアー装置と、
前記カメラから取り込まれた映像と前記マイクロフォンより取り込まれた音声を所定のファイルに変換する変換機能、及び、これらのファイルをモニターや音声出力装置に出力する機能及び記録装置に書込む機能、及び、通信等パソコンとしての機能を有する映像及び音声取込み装置とを取り付け、
前記映像及び音声取込み装置には、前記カメラ及びマイクロフォンを接続し、前記マルチビュアー装置の入力端子は、カラオケ本体のカラオケ映像出力端子と映像及び音声取込み装置の映像出力端子とが接続され、前記マルチビュアー装置の出力端子は、モニターの入力端子と接続され、
前記カメラによって取り込まれた映像とカラオケ映像との切り替え表示や、両画面分割表示や、ピクチャインピクチャ表示を可能としたカラオケ用モニター。
【請求項２】
上記映像及び音声取込み装置の記録装置が、携帯音楽プレーヤ、携帯情報端末、ＣＤプレーヤ、ＤＶＤプレーヤ、半導体メモリ書込み装置、携帯式テレビゲーム機のいずれかであり、該記録装置いずれかを選ぶ記録装置選択機能及び選択された記録装置の情報の送信機能が組み込まれた無線リモコンを配備し、
前記映像及び音声取込み装置は、前記無線リモコンからの送信を受ける受信機能が設けられており、受信した選択された記録装置の情報に従い、前記記録装置に書込む機能を動作させ、選択された記録装置への記録を行うことを特徴とする請求項１に記載のカラオケ用モニター。
【請求項３】
上記無線リモコンが、注文料理選択機能を有し、料理提供者への送信機能を有するものである請求項２に記載のカラオケ用モニター。
【考案の詳細な説明】
【技術分野】
【０００１】
本考案は、カラオケ用モニターに関する。詳しくは、歌っている人の映像とカラオケの演奏音を含む歌っている人の音声とを出力でき、且つ、それぞれ所定のファイル形式で記録できるようにした映像及び音声取込み装置と、カラオケ映像と歌っている人の映像とが、切り替え表示や画面分割表示やピクチャインピクチャ表示を可能としたマルチビュアー装置とを有するコンパクトなカラオケ用モニターである。
【背景技術】
【０００２】
特許文献１に示されるように、本件実用新案登録出願人により開発された、音声信号のみならず映像信号をも取り込み得るようにした、カラオケ用映像及び音声取込み装置が既に開示されている。該装置は歌っている人の映像と演奏音を含む音声とを同時に取り込み、これを記録装置に書込むとともに、さらに、インターネット通信網を介してサーバーの記録装置に書込む取込み装置である。これにより、歌っている人の映像をモニターに表示したり、携帯に保存したり、ＤＶＤに録画したりすることのできるものとなった。
【０００３】
しかし、この装置は、パーティー会場等で使用されることを前提に大型に作られたものであり、カラオケ用のモニターと歌っている人の映像を映すモニターとは別々になっており、同時に両方を見ることのできないものであった。また近年は、小部屋でのカラオケの使用が多くなっており、装置の小型化が求められていた。
【先行技術文献】
【特許文献】
【０００４】
【特許文献１】実用新案登録第３１５６３３６号登録実用新案公報
【考案の概要】
【考案が解決しようとする課題】
【０００５】
本考案の解決課題は以下の通りである。
第１に、１つのモニターに、カラオケ映像に歌っている人の映像をピクチャインピクチャする表示や、両映像の切り替え表示や、両画面分割表示を可能とすることである。
第２に、マルチビュアー装置と映像及び音声取込み装置とをモニターの裏面に取り付けて、装置を小型化することである。
第３に、映像及び音声取込み装置と無線リモコンとを通信可能とすることにより、携帯音楽プレーヤ、携帯情報端末、ＣＤプレーヤ、ＤＶＤプレーヤ等の記録装置への遠隔からの選択を可能とすることである。
第４に、無線リモコンを通じて、カラオケをしている場所から直に料理の注文をすることを可能とすることである。
【課題を解決するための手段】
【０００６】
上記課題を解決するために、第１の考案はカラオケ用モニターを次のように構成する。
第１に、カラオケ映像と歌っている人の映像とが切り替え表示や画面分割表示やピクチャインピクチャ表示可能とされるカラオケ用モニターである。
第２に、該モニターの前面には、歌っている人の映像を撮影して取り込むカメラと、歌っている人の音声とカラオケ演奏の音声とを集音して取り込むマイクロフォンとを取り付ける。
第３に、前記モニターの裏面には、切り替え表示及び画面分割表示及びピクチャインピクチャ表示切り替え可能なマルチビュアー装置と、前記カメラから取り込まれた映像と前記マイクロフォンより取り込まれた音声を所定のファイルに変換する変換機能、及び、これらのファイルをモニターや音声出力装置に出力する機能及び記録装置に書込む機能、及び、通信等パソコンとしての機能を有する映像及び音声取込み装置とを取り付ける。
第４に、前記映像及び音声取込み装置には、前記カメラ及びマイクロフォンを接続する。
第５に、前記マルチビュアー装置の入力端子は、カラオケ本体のカラオケ映像出力端子と映像及び音声取込み装置の映像出力端子とが接続され、前記マルチビュアー装置の出力端子は、モニターの入力端子と接続される。
第６に、前記カメラによって取り込まれた映像とカラオケ映像との切り替え表示や、両画面分割表示や、ピクチャインピクチャ表示を可能とする。
【０００７】
第２の考案は、第１の考案に以下の構成を付加したカラオケ用モニターとする。
第１に、上記映像及び音声取込み装置の記録装置が、携帯音楽プレーヤ、携帯情報端末、ＣＤプレーヤ、ＤＶＤプレーヤ、半導体メモリ書込み装置、携帯式テレビゲーム機のいずれかであり、該記録装置いずれかを選ぶ記録装置選択機能及び選択された記録装置の情報の送信機能が組み込まれた無線リモコンを配備する。
第２に、前記映像及び音声取込み装置は、前記無線リモコンからの送信を受ける受信機能が設けられており、受信した選択された記録装置の情報に従い、前記記録装置に書込む機能を動作させ、選択された記録装置への記録を行う。
【０００８】
第３の考案は、第２の考案における無線リモコンが、注文料理選択機能を有し、料理提供者への送信機能を有することを付加したカラオケ用モニターとする。
【考案の効果】
【０００９】
第１の考案は、以下の効果を有する。
第１に、モニターの裏面には、マルチビュアー装置が取り付けられ、マルチビュアー装置の入力端子は、カラオケ本体のカラオケ映像出力端子と映像及び音声取込み装置の映像出力端子とに接続され、カメラによって取り込まれた歌っている人の映像とカラオケ映像との切り替え表示や、両画面分割表示や、ピクチャインピクチャ表示が可能となったので、カラオケ映像用のモニターと歌っている人の映像用のモニターとの２つのモニターを必要とせずに、１つのモニターでいろいろな表示が可能になった。
第２に、従来の装置では、モニターとマルチビュアー装置と映像及び音声取込み装置とを別部材にする必要があったが、モニターの裏面に、マルチビュアー装置と映像及び音声取込み装置とを取り付けたことにより、装置を小型化することができた。
【００１０】
第２の考案は、映像及び音声取込み装置の、携帯音楽プレーヤ、携帯情報端末、ＣＤプレーヤ、ＤＶＤプレーヤ、半導体メモリ書込み装置、携帯式テレビゲーム機のいずれかの記録装置への記録を、無線リモコンの記録装置選択機能により遠隔より操作することが可能となった。
【００１１】
第３の考案は、無線リモコンが、注文料理選択機能を有し、料理提供者への送信機能を有するものであるので、カラオケをしている場所から無線リモコンを通じて直に料理の注文も可能となった。
【図面の簡単な説明】
【００１２】
【図１】本考案の一実施例に係るカラオケ用モニターの正面説明図
【図２】同カラオケ用モニターの裏面説明図
【図３】無線リモコンの記録装置選択画面の説明図
【図４】無線リモコンの注文料理選択画面と記録装置選択画面の２画面表示説明図
【考案を実施するための形態】
【００１３】
以下、本考案を実施するための形態につき実施例とともに説明する。
図１は本考案の一実施例に係るカラオケ用モニターの正面説明図である。本考案に係るカラオケ用モニターは、カラオケ装置１のカラオケ画像Ｋを表示すると同時に、撮影した映像、即ち、歌っている人の映像Ｓをも表示することのできるモニター２である。
【００１４】
モニター２の前面の上部中央には、マイクロフォン付きカメラ３が取り付けられており、カメラ部３１により歌っている人の映像を撮影して映像及び音声取込み装置４に取り込むようにしている。また、マイクロフォン付きカメラ３のカメラ部３１の左右には、マイクロフォン部３２が形成されており、マイクロフォン部３２により、歌っている人の音声とカラオケ演奏の音声とを集音して映像及び音声取込み装置４に取り込むようにしている。
【００１５】
図２は、カラオケ用モニターの裏面説明図であり、モニター２の裏面には、歌っている人の映像Ｓと、歌っている人の音声及びカラオケ演奏の音声とが取り込まれる映像及び音声取込み装置４と、カラオケ映像Ｋと歌っている人の映像Ｓとが切り替え表示や２画面分割表示やピクチャインピクチャ表示を可能とするマルチビュアー装置５が取り付けられている。
【００１６】
映像及び音声取込み装置４は、マイクロフォン付きカメラ３とＵＳＢ接続ケーブルで接続されている。詳しくは、マイクロフォン付きカメラ３の映像及び音声出力端子３３と映像及び音声取込み装置４の映像及び音声入力端子４１とが接続されている。これによりカメラ部３１から歌っている人の映像Ｓとマイクロフォン部３２より歌っている人の音声及びカラオケ演奏の音声とが映像及び音声取込み装置４に取り込まれる。
【００１７】
映像及び音声取込み装置４は、カメラ部３１から取り込まれた映像とマイクロフォン部３２より取り込まれた音声を所定のファイルに変換する変換機能、及び、これらのファイルをモニター２や音声出力装置に出力する機能及び記録装置に書込む機能、並びに、通信等パソコンとしての機能を有する。尚、通信の機能の１つとして後に述べる無線リモコン６からの送信を受ける受信機能が設けられている。
【００１８】
映像及び音声取込み装置４の記録装置には、携帯音楽プレーヤ、携帯情報端末、ＣＤプレーヤ、ＤＶＤプレーヤ、半導体メモリ書込み装置、携帯式テレビゲーム機等があり、該記録装置に歌っている人の音声やカラオケ演奏の音声や歌っている人の映像等を書込む。図２の実施例での記録装置としては、メモリードライブ８とＤＶＤプレーヤ９が示されており、映像及び音声取込み装置４に設けられた記録装置への出力端子４２と接続されている。尚、図中符号４３は、映像及び音声取込み装置４に設けられた映像出力端子であり、マルチビュアー装置５の歌っている人の映像入力端子５２と接続されている。
【００１９】
他方、モニター２の裏面に取り付けられているマルチビュアー装置５は、表示画面切り替え機能及び２画面分割機能及びピクチャインピクチャ機能を有する。マルチビュアー装置５には、入出力部と動作表示部と操作部とを備えている。
【００２０】
マルチビュアー装置５の入出力部として、カラオケ映像が入力されるカラオケ映像入力端子５１と、カメラ部３１で撮影された映像が入力される歌っている人の映像入力端子５２と、マルチビュアー装置５で操作した映像をモニター２に出力する出力端子５３とを有している。尚、図２中符号５４は電源部である。
【００２１】
マルチビュアー装置５のカラオケ映像入力端子５１は、カラオケ装置１のカラオケ本体７にあるカラオケ映像出力端子と接続される。他方、歌っている人の映像入力端子５２は、映像及び音声取込み装置４の映像出力端子４３と接続されている。マルチビュアー装置５の出力端子５３は、モニター２の入力端子２０と接続されている。マルチビュアー装置５により、モニター２での、歌っている人の映像とカラオケ映像との切り替え表示、及び２画面分割表示、及びピクチャインピクチャ表示の切り替えを可能としている。
【００２２】
マルチビュアー装置５の動作表示部として、ＬＥＤからなる、動作状態を示す表示ランプＡが設けられている。図２中、動作表示部の右側に設けられているのが操作部であって、動作を決定するためのスイッチＢ１、Ｂ２、Ｂ３、Ｂ４、Ｂ５が設けられている。
【００２３】
スイッチＢ１は主画面選択スイッチである。即ち、歌っている人の映像Ｓかカラオケ映像Ｋのいずれを主画面とするかを選択するスイッチである。
【００２４】
スイッチＢ２はモード１〜４を選択するスイッチであり、モード１は入力信号を１つのフル画面に映すモードであり、モード２はピクチャインピクチャモード（フル画面にサブの画面を表示させるモード）であり、モード３は縦に２画面に分割するモードであり、モード４は横に２画面に分割するモードである。スイッチＢ２は１回押すたびにモードが変わる。
【００２５】
スイッチＢ３はピクチャインピクチャ画面の位置を選択したいときに押す。スイッチＢ３を押すたびに位置を変えられる。スイッチＢ４はピクチャインピクチャのサイズを変えたいときに押す。サイズは３段階の大きさに変えられる。尚、スイッチＢ５は出力解像度を選択したいときに押す。
【００２６】
図１のモニター２の表示は、スイッチＢ１によってカラオケ映像Ｋを主映像とし、スイッチＢ２を２度押し、歌っている人の映像Ｓをピクチャインピクチャとするモードを選び、スイッチＢ３により歌っている人の映像Ｓを右上とし、スイッチＢ４によって、中サイズの大きさとして表示したものである。
【００２７】
映像及び音声取込み装置４の記録装置に書込む機能は、無線リモコン６により遠隔からの操作が可能である。映像及び音声取込み装置４の記録装置には、携帯音楽プレーヤ、携帯情報端末、ＣＤプレーヤ、ＤＶＤプレーヤ、半導体メモリ書込み装置、携帯式テレビゲーム機があり、無線リモコン６には、その内のいずれかを選ぶ記録装置選択機能及び選択された記録装置の情報の送信機能が組み込まれている。
【００２８】
無線リモコン６の記録装置選択機能は無線リモコン６上面に設けられた選択メニューなるタッチパネル６０によって操作される。図３には、携帯情報端末への記録を選択するアイコン６１とＤＶＤプレーヤへの記録を選択するアイコン６２とが表示されている。
【００２９】
例えば、アイコン６２をタッチすることにより、映像及び音声取込み装置４のカメラ部３１から取り込まれた映像とマイクロフォン部３２より取り込まれた音声をＤＶＤプレーヤへ記録することが選択され、選択された記録装置の情報が送信機能により映像及び音声取込み装置４へ送信される。これに対し、映像及び音声取込み装置４には、無線リモコン６からの送信の受信機能があり、受信した情報に従い、ＤＶＤプレーヤにカメラ部３１から取り込まれた映像とマイクロフォン部３２より取り込まれた音声が書込まれる。
【００３０】
無線リモコン６は、記録装置選択機能のみでなく、注文料理選択機能及び料理提供者への送信機能をも合わせ持つことができる。図４に示されるように、無線リモコン６のディスプレイに表示されるタッチパネル６０を記録装置の選択メニューの他、料理・ドリンクメニューの２画面分割表示とし、記録装置の選択だけでなく、カラオケスタジオ等では、料理やドリンクの注文も行うことができるものとする。
【符号の説明】
【００３１】
１・・・・・・・・・・・・・・・・カラオケ装置
２・・・・・・・・・・・・・・・・モニター
２０・・・・・・・・・・・・・・・モニターの入力端子
３・・・・・・・・・・・・・・・・マイクロフォン付きカメラ
３１・・・・・・・・・・・・・・・カメラ部
３２・・・・・・・・・・・・・・・マイクロフォン部
３３・・・・・・・・・・・・・・・音声出力端子
４・・・・・・・・・・・・・・・・映像及び音声取込み装置
４１・・・・・・・・・・・・・・・映像及び音声入力端子
４２・・・・・・・・・・・・・・・記録装置への出力端子
４３・・・・・・・・・・・・・・・映像出力端子
５・・・・・・・・・・・・・・・・マルチビュアー装置
５１・・・・・・・・・・・・・・・カラオケ映像入力端子
５２・・・・・・・・・・・・・・・歌っている人の映像入力端子
５３・・・・・・・・・・・・・・・モニターへの出力端子
５４・・・・・・・・・・・・・・・電源部
６・・・・・・・・・・・・・・・・無線リモコン
６０・・・・・・・・・・・・・・・タッチパネル
６１・・・・・・・・・・・・・・・携帯情報端末への記録を選択するアイコン
６２・・・・・・・・・・・・・・・ＤＶＤプレーヤへの記録を選択するアイコン
７・・・・・・・・・・・・・・・・カラオケ本体
８・・・・・・・・・・・・・・・・メモリードライブ
９・・・・・・・・・・・・・・・・ＤＶＤプレーヤ
Ａ・・・・・・・・・・・・・・・・表示ランプ
Ｂ１、Ｂ２、Ｂ３、Ｂ４、Ｂ５・・・スイッチ
Ｋ・・・・・・・・・・・・・・・・カラオケ映像
Ｓ・・・・・・・・・・・・・・・・歌っている人の映像
【図１】
0003220458.tif 000003
【図２】
0003220458.tif 000004
【図３】
0003220458.tif 000005
【図４】
0003220458.tif 000006